(57)【要約】【課題】画像表示機能付き双眼鏡に観察対象に関わる画像情報に表示する。【解決手段】双眼鏡１０にＬＣＤ１２と、カードスロット１９を設ける。カードスロット１９に装着されるＩＣメモリカードに、観察対象となる鳥に関わる画像データや音声データを格納する。双眼鏡１０において観察対象となる鳥を、季節、場所、大きさ等の属性に基づくカテゴリに分類する。これらのカテゴリを階層的に構成し、この構成にしたがってＩＣメモリカードのディレクトリ構造を構成する。ディレクトリ構造の末端のフォルダに、対応する画像データや音声ファイルを配置する。観察している鳥が属するカテゴリを矢印キー１７Ｒ、１７Ｌ、１７Ｕ、１７Ｄを用いて順次選択することにより末端のフォルダを選択し、これに含まれる画像データを順次ＬＣＤ１２に表示する。【選択図】        図１
2004194279.tif 000002
【特許請求の範囲】
【請求項１】
観察対象物の種々の属性に基づき分類される所定のカテゴリ毎に形成された階層ディレクトリ構造を有し、その各最下位ディレクトリには、前記観察対象物の種類を特定する第１の画像データからなる参照用データ群が格納されるとともに、各カテゴリおよび各ディレクトリをそれぞれ示す第２の画像データからなるガイド用データ群とが格納されている記録媒体と、
画像を表示するための画像表示手段と、
手動操作部材の操作に対応して、前記階層ディレクトリ構造に沿って各ディレクトリを指定してカレントディレクトリを設定する設定手段と、
前記ガイド用画像データ群の中から、前記設定手段が指定するディレクトリに対応した第２画像を前記画像表示手段に表示させる一方、前記設定手段が最下位ディレクトリを指定している場合は、前記手動操作部材の操作に応じて、その最下位ディレクトリ内に属する参照用データ群を順次読み出して前記画像表示手段に表示させる第１の制御手段とを具備することを特徴とする画像表示機能付き観察用光学機器。
【請求項２】
前記参照用データ群が、前記第１の画像データに関連する関連情報データを有することを特徴とする請求項１に記載の画像表示機能付き観察用光学機器。
【請求項３】
音声ファイルを再生して発音させる音声再生手段を有するとともに、前記関連情報データが音声データを有し、前記制御手段は、前記手動操作部材により音声データが選択された場合は、音声データを前記音声再生手段により再生させることを特徴とする請求項２に記載の画像表示機能付き観察用光学機器。
【請求項４】
前記観察対象物が鳥であることを特徴とする請求項１に記載の画像表示機能付き観察用光学機器。
【請求項５】
前記カテゴリが四季に関するカテゴリを含むことを特徴とする請求項４に記載の画像表示機能付き観察用光学機器。
【請求項６】
前記カテゴリが、鳥が生息する場所に関するカテゴリを含むことを特徴とする請求項４に記載の画像表示機能付き観察用光学機器。
【請求項７】
前記カテゴリが、鳥の大きさに関するカテゴリを含むことを特徴とする請求項４に記載の画像表示機能付き観察用光学機器。
【請求項８】
前記関連情報ファイルが、鳥の鳴き声の音声ファイルを含むことを特徴とする請求項４に記載の画像表示機能付き観察用光学機器。
【請求項９】
前記観察用光学機器は前記記録媒体を着脱可能に保持する記録媒体装着部を有することを特徴とする請求項１に記載の画像表示機能付き観察用光学機器。
【請求項１０】
観察光学系により観察される観察対象物を撮影、記録するとともに前記画像表示手段に再生表示させる第２の制御手段を備え、この第２の制御手段は、前記記録媒体内において、前記観察対象物に関する画像データ群及び前記関連情報データ群が格納されている領域と区別された空き領域を認識し、その領域内に撮影画像を記録することを特徴とする請求項１に記載の画像表示機能付き観察用光学機器。
【請求項１１】
前記第１の制御手段を駆動する第１のモードと前記第２の制御手段を駆動する第２のモードとの間の切り替えを行う切替スイッチを備え、前記切替スイッチを所定の時間に渡って押し続けることにより、前記第１及び第２のモード間の切り替えを行なうことを特徴とする請求項１０に記載の画像表示機能付き観察用光学機器。
【請求項１２】
観察対象物の種々の属性に基づき分類される所定のカテゴリ毎に形成された階層ディレクトリ構造を有し、その各最下位ディレクトリには、前記階層ディレクトリ構造により分類されたカテゴリに属し、前記観察対象物の種類を特定するための一群の画像データが格納された記録媒体と、
前記階層ディレクトリから任意に選択されたカレントディレクトリに含まれ、前記カレントディレクトリの１つ下の階層の各ディレクトリに一対一に対応する名称又は記号を上下方向に画面上に選択項目として列挙する選択項目列挙手段と、
上下方向矢印キーの操作により、前記上下方向に列挙された選択項目間における選択の変更を順次行なう選択変更手段と、
右方向矢印キーの操作により、現在選択されている選択項目に対応するディレクトリにカレントディレクトリを移動するディレクトリ移動手段とを備えることを特徴とする画像表示機能付き観察用光学機器。
【請求項１３】
前記カレントディレクトリが前記最下位ディレクトリにあるとき、前記一群の画像データから、前記観察対象物の種類を特定するための画像が読み出されて前記画面上に表示されるとともに、前記右方向矢印キーの操作に対応して、前記画像が次順位の画像に切り換えられることを特徴とする請求項１２に記載の画像表示機能付き観察用光学機器。
【請求項１４】
前記順位が前記画像データの各ファイル名の先頭に附された文字列により制御されることを特徴とする請求項１３に記載の画像表示機能付き観察用光学機器。
【請求項１５】
前記順位が前記観察対象物の出現頻度に基づいて決定されることを特徴とする請求項１３に記載の画像表示機能付き観察光学機器。
【請求項１６】
前記観察対象物の種類を特定するための画像が表示された状態において、所定のスイッチ操作により、表示された前記画像に対応する観察対象物の解説文が表示されることを特徴とする請求項１３に記載の画像表示機能付き観察用光学機器。
【請求項１７】
前記選択項目列挙手段により表示される画面に、前記カレントディレクトリに対応する選択項目名が、列挙された選択項目のタイトルとして表示されることを特徴とする請求項１２に記載の画像表示機能付き観察用光学機器。
【発明の詳細な説明】
【０００１】
【発明の属する技術分野】
本発明は、画像表示機能が搭載された観察用光学機器に関する。
【０００２】
【従来の技術】
液晶モニタが搭載されたデジタルカメラ機能付き観察用光学機器として、デジタルカメラ機能付双眼鏡が知られている。デジタルカメラ機能付き双眼鏡では、接眼レンズを通して複眼視される映像と略同一の画像を液晶モニタに表示できるとともにデジタル画像として記録可能である。
【０００３】
【発明が解決しようとする課題】
双眼鏡は、バードウォッチングやスポーツ観戦などに用いられることが多い。
バードウォッチングやスポーツ観戦では、鳥、選手といった特定の対象が観察される。このとき双眼鏡利用者は、観察対象を漠然と観察するのではなく、観察対象の種類や個別の名称などを同定することが一般的である。例えばバードウォッチングでは鳥の種類であり、スポーツ観戦ではチーム名や選手の名前である。
【０００４】
本発明は、観察対象に関わる情報を表示可能な画像表示機能付き観察用光学機器を得ることを目的としている。
【０００５】
【課題を解決するための手段】
本発明の画像表示機能付き観察用光学機器は、観察対象物の種々の属性に基づき分類される所定のカテゴリごとに形成された階層ディレクトリ構造を有し、その各最下位ディレクトリには、観察対象物の種類を特定する第１の画像データからなる参照用データ群が格納されるとともに、各カテゴリおよび各ディレクトリをそれぞれ示す第２の画像データからなるガイド用データ群とが格納されている記録媒体と、画像を表示するための画像表示手段と、手動操作部材の操作に対応して、階層ディレクトリ構造に沿って各ディレクトリを指定してカレントディレクトリを設定する設定手段と、ガイド用画像データ群の中から、設定手段が指定するディレクトリに対応した第２画像を画像表示手段に表示させる一方、設定手段が最下位ディレクトリを指定している場合は、手動操作部材の操作に応じて、その最下位ディレクトリ内に属する参照用データ群を順次読み出して画像表示手段に表示させる第１の制御手段とを具備したことを特徴としている。
【０００６】
参照用データ群は、第１の画像データに関連する関連情報データを有することが好ましい。このとき、画像表示機能付き観察用光学機器は、音声ファイルを再生して発音させる音声再生手段を有することが好ましく、関連情報データが音声データであることが好ましい。制御手段は、手動操作部材により音声データが選択された場合、音声データを音声再生手段により再生させる。これにより、観察対象物に対する視覚的な情報のみならず、聴覚的な情報も簡便に得ることができる。
【０００７】
観察対象物は、例えば鳥であり、カテゴリは例えば四季に関するカテゴリを含む。また、カテゴリは、鳥が生息する場所に関するカテゴリ、あるいは、鳥の大きさに関するカテゴリを含む。また更に、関連情報ファイルは、例えば鳥の鳴き声の音声ファイルを含む。
【０００８】
観察用光学機器は好ましくは、記録媒体を着脱可能に保持する記録媒体装着部を有する。これにより観察対象物に応じて異なる分野の画像データを記録した記録媒体を適宜装着して用いることができる。
【０００９】
画像表示機能付き観察用光学機器は、例えば観察光学系により観察される観察対象物を撮影、記録するとともに画像表示手段に再生表示させる第２の制御手段を備える。この第２の制御手段は、記録媒体内において、観察対象物に関する画像データ群及び関連情報データ群が格納されている領域と区別された空き領域を認識し、その領域内に撮影画像を記録する。
【００１０】
このとき画像表示機能付き観察用光学機器は、例えば第１の制御手段を駆動する第１のモードと第２の制御手段を駆動する第２のモードとの間の切り替えを行う切替スイッチを備える。第１及び第２のモード間の切り替えは、例えば切替スイッチを所定の時間に渡って押し続けることにより行なわれる。
【００１１】
また本発明の画像表示機能付き観察用光学機器は、観察対象物の種々の属性に基づき分類される所定のカテゴリ毎に形成された階層ディレクトリ構造を有し、その各最下位ディレクトリには、階層ディレクトリ構造により分類されたカテゴリに属し、観察対象物の種類を特定するための一群の画像データが格納された記録媒体と、階層ディレクトリから任意に選択されたカレントディレクトリに含まれ、カレントディレクトリの１つ下の階層の各ディレクトリに一対一に対応する名称又は記号を上下方向に画面上に選択項目として列挙する選択項目列挙手段と、上下方向矢印キーの操作により、上下方向に列挙された選択項目間における選択の変更を順次行なう選択変更手段と、右方向矢印キーの操作により、現在選択されている選択項目に対応するディレクトリにカレントディレクトリを移動するディレクトリ移動手段とを備えたことを特徴としている。
【００１２】
カレントディレクトリが最下位ディレクトリにあるとき、一群の画像データから観察対象物の種類を特定するための画像が読み出されて画面上に表示されるとともに、右方向矢印キーの操作に対応して、画像が次順位の画像に切り換えられることが好ましい。
【００１３】
画像の表示順位は、例えば画像データの各ファイル名の先頭に附された文字列により制御され、この順位は例えば観察対象物の出現頻度に基づいて決定される。また、観察対象物の種類を特定するための画像が表示された状態において、所定のスイッチ操作により、表示された画像に対応する観察対象物の解説文が表示される。また、選択項目列挙手段により表示される画面に、カレントディレクトリに対応する選択項目名が、列挙された選択項目のタイトルとして表示されることが好ましい。
【００１４】
【発明の実施の形態】
以下、本発明の実施の形態を、図面を参照して説明する。
図１は、本発明の第１の実施形態であるデジタルカメラ機能付き双眼鏡の外観を接眼レンズ側（背面側）から見たときの斜視図である。
【００１５】
双眼鏡１０の背面には、一対の接眼部１１Ｒ、１１Ｌが設けられ、その上面の略中央には、ＬＣＤ（ｌｉｑｕｉｄ  ｃｒｙｓｔａｌ  ｄｉｓｐｌａｙ）などの画像表示装置１２が設けられる。画像表示装置１２の手前（図面１において）には合焦のための転輪１３が設けられる。画像表示装置１２は、パネル状に成形されており、上面と正面の稜線に沿った軸を回転軸に開閉自在である。すなわち、画像表示装置１２が開かれると、画面は背面方向に向けて略直立される。また、画像表示装置１２が閉じられると、画面は双眼鏡１０の上面に臥せられる。なお、撮影用の光学系（図示せず）の合焦動作は、接眼部１１Ｌ、１１Ｒを含む双眼鏡用光学系の合焦動作に連動しており、転輪１３を用いて行なわれる。
【００１６】
双眼鏡１０の上面右手前側にはレリーズスイッチ１４が設けられる。レリーズスイッチ１４の後側（正面より）には、メニュキー１５、ディスプレイボタン１６、及び上下左右方向に対応する４つの矢印キー１７Ｕ、１７Ｄ、１７Ｌ、１７Ｒと、これらに囲まれるＯＫキー１８とが設けられる。また、双眼鏡１０の側面には、メモリカード等の記録媒体を挿入するためのカードスロット１９が設けられる。
【００１７】
図２に、図１のデジタル機能付き双眼鏡１０の電気的な構成を示すブロック図を示す。
【００１８】
撮影用光学系２０を介して入射された被写体像は、撮像ブロック２１内のＣＣＤなどの撮像素子で結像され、画像信号として検出される。撮像ブロック２１では、検出された画像信号に対してＣＣＤプロセス処理などの所定の信号処理が施される。その後画像信号はキャプチャ回路２２を介してプロセッサ２３に送られる。
【００１９】
キャプチャ回路は、撮像ブロック２１からの画像信号（画像データ）をレリーズスイッチ１４の操作に応じて一時的に保存する回路である。例えば、撮像素子で撮像された画像を画像表示装置１２にシースルー画像として表示する場合には、間引きした画像信号を随時プロセッサ２３に出力し、バスＢＳを介して画像表示装置１２に動画として表示する。レリーズスイッチ１４が操作されると、例えば間引きを行っていない画像データを図示しないメモリに一時的に保存する。
【００２０】
キャプチャ回路２２に保存された画像データは、プロセッサ２３及びバスＢＳを介して画像表示装置１２に静止画像として表示される。なお、撮像ブロック２１、キャプチャ回路２２は、タイミングジェネレータ２４からの同期信号により制御され、タイミングジェネレータ２４は、プロセッサ２３により制御される。
また、レリーズスイッチ１４等を含むスイッチ群２５、及びスピーカ３０は、例えばバスＢＳを介してプロセッサ２３に接続される。
【００２１】
また、プロセッサ２３には、Ｉ／Ｏコントロール回路２６が接続され、Ｉ／Ｏコントロール回路２６には、記録媒体制御回路２７が接続される。記録媒体制御回路２７は、ＩＣメモリカード等の記録媒体Ｍが着脱自在に装着される記録媒体装着部２７ａを有しており、記録媒体装着部２７ａに装着された記録媒体Ｍの記憶容量やファイル階層、現在の空き領域を認識するとともに、記録媒体Ｍへのデータの書き込みや、記録媒体Ｍからのデータの読み出しが行なわれる。例えば記録媒体Ｍの空き領域には、撮影され、キャプチャ回路２２に一時的に保存された画像データがプロセッサ２３、Ｉ／Ｏコントロール回路２６、記録媒体制御回路２７を介して書き込まれる。また、例えば記録媒体Ｍに記録されている画像データは、記録媒体制御回路２７、Ｉ／Ｏコントロール回路２６、プロセッサ２３、バスＢＳを介してワークＲＡＭ２８に転送することが可能である。なお、プロセッサ２３は、ＲＯＭ２９に記録されたシステムプログラムに従って駆動される。
【００２２】
次に図３〜図８を参照して、本実施形態においてプロセッサ２３において実行される参照画像表示処理動作について説明する。なお、本実施形態では、双眼鏡１０を用いてバードウォッチングを行う場合を例に説明する。
【００２３】
図３は、記録媒体Ｍに形成されたフォルダ（ディレクトリ）の階層構造を例示した図である。図３に示されるように、記録媒体Ｍのルート（ルートディレクトリ）には、フォルダ「ＤＣＩＭ」と例えばフォルダ「鳥の図鑑」とが存在する。
フォルダ「ＤＣＩＭ」は、デジタルスチルカメラで撮影された画像ファイルを格納しておくためのフォルダである。すなわち、プロセッサ２３が、通常のデジタルカメラとしての処理を実行している間（参照画像表示処理動作の起動前）、カレントディレクトリは「ＤＣＩＭ」の下にある所定のフォルダにある。そして、撮影画像は記録媒体Ｍの空き領域に、例えばＪＰＥＧ形式の画像データとして記録され、この画像データは「ＤＣＩＭ」フォルダの下にある所定のフォルダ内に格納されたファイルとして管理される。
【００２４】
フォルダ「鳥の図鑑」の下には、例えば「春」、「夏」、「秋」、「冬」の４つの季節に対応したフォルダが存在し、それぞれのフォルダの下には例えば「山」、「海」、「街」等の観察する場所に対応したフォルダが設けられる。また「山」、「海」、「街」等の場所に対応したフォルダの下には、例えば「大」、「中」、「小」等の鳥の大きさに対応するフォルダがそれぞれ設けられる。なお、図３では、フォルダ「春」の下にある「山」、「海」、「街」のフォルダと、「山」の下にある「大」、「中」、「小」のフォルダのみが示されおり、他は省略されている。
【００２５】
各季節、各場所のフォルダの下にある大中小のフォルダには、それぞれ季節、場所、大きさで分類された鳥の画像ファイルと、画像ファイルに関連する情報が含まれるファイルが格納されている。図４に、「￥鳥の図鑑￥秋￥街￥小」に、格納されているファイルの一例を示す。例えばファイル「ツグミ．ｊｐｇ」は鶫の画像ファイルであり、「ツグミ．ｊｐｅｇ」は、「ツグミ．ｊｐｇ」の画像に鳥の名前等の文字情報を合成した画像ファイルである。また、「ツグミ．ｗａｖ」は、鶫の声を録音した音声データである。図５（ａ）、（ｂ）に「ツグミ．ｊｐｇ」、「ツグミ．ｊｐｅｇ」の画像の一例を示す。なお、図４には、鶫と鵯に関するファイルのみが示されているが、「￥鳥の図鑑￥秋￥街￥小」には、秋に街で見られる様々な小型の鳥の画像ファイルとその鳥の音声ファイルが格納される。また、四季を通じて見られる鳥や、例えば山でも街でも見られるような鳥に関しては、複数のフォルダに同一のファイルが重複して格納されている。
【００２６】
一方、フォルダ「鳥の図鑑」には、図６に例示するビットマップデータが格納されている。「ａｒｅａ１．ｂｍｐ」、「ａｒｅａ２．ｂｍｐ」、「ａｒｅａ３．ｂｍｐ」のファイルは、それぞれ「山」、「海」、「街」のフォルダに対応しており、「ｓｅａｓｏｎ１．ｂｍｐ」、「ｓｅａｓｏｎ２．ｂｍｐ」、「ｓｅａｓｏｎ３．ｂｍｐ」、「ｓｅａｓｏｎ４．ｂｍｐ」のファイルは、それぞれ「春」、「夏」、「秋」、「冬」のフォルダに対応している。また、「ｓｉｚｅ１．ｂｍｐ」、「ｓｉｚｅ２．ｂｍｐ」、「ｓｉｚｅ３．ｂｍｐ」のファイルは、それぞれ「大」、「中」、「小」のフォルダに対応し、「ｔｉｔｌｅ．ｂｍｐ」のファイルは、フォルダ「鳥の図鑑」に対応している。図７（ａ）〜（ｄ）に、「ｔｉｔｌｅ．ｂｍｐ」（鳥の図鑑）、「ｓｅａｓｏｎ３．ｂｍｐ」（秋）、「ａｒｅａ３．ｂｍｐ」（街）、「ｓｉｚｅ３．ｂｍｐ」（小）各々のビットマップデータの一例を示す。なお、上記「鳥の図鑑」フォルダに格納されるビットマップファイル（ｂｍｐファイル）及び画像ファイル（ＪＰＧまたはＪＰＥＧファイル）の容量は、いずれも画像表示装置１２の表示画素数を満足すればよいので、撮影画像のファイルに比べて非常に小さくて済む。したがって、記録媒体Ｍに関しては、撮影画像を格納するために利用される空き領域を十分に確保できる。
【００２７】
本実施形態において、鳥の画像ファイル（拡張子ＪＰＧのファイル）の他に、同じ鳥の画像に名前の文字情報（解説文）を合成した画像ファイル（拡張子ＪＰＥＧのファイル）を用意している理由（詳細は後述）は、これらの画像ファイルの表示を交互に切り替え表示した場合に、視覚的に文字情報のみ、表示と非表示が切り替わるように見せることにより、表示装置上における文字情報と対象物の視認性を共に向上させるためである。
【００２８】
図８は、第１の実施形態における参照画像表示処理動作のプログラムのフローチャートである。この参照画像表示処理動作は、例えばメニュキー１５が所定の時間に渡って長押しされた場合に割込み処理等により開始される。なお、参照画像表示処理動作が実行される前において、プロセッサ２３では、通常のデジタルカメラと同様のプログラムが実行されている。
【００２９】
ステップＳ１０１では、ＩＣメモリカードのルートディレクトリにある「ＤＣＩＭ」以外のフォルダが検索され、カレントディレクトリがそのフォルダに変更される。本実施形態の場合、「ＤＣＩＭ」以外でルートディレクトリに存在するフォルダは「鳥の図鑑」なので、カレントディレクトリは、「鳥の図鑑」に変更される。このとき、ステップＳ１０２において、カレントのフォルダ「鳥の図鑑」に対応するビットマップデータ「ｔｉｔｌｅ．ｂｍｐ」が画像表示装置１２に表示される。ステップＳ１０２は、カレントのフォルダ又はファイルに対応する画像を画像表示装置１２に表示し、ファイルが選択されている場合には、対応するファイルの画像が画像表示装置１２に表示される。
【００３０】
ステップＳ１０３〜ステップＳ１０８では、矢印キー１７Ｕ、１７Ｄ、１７Ｒ、１７Ｌ、メニュキー１５、ＯＫキー１８が操作された否かが判定され、その操作内容に応じて所定の処理（ステップＳ１０９〜Ｓ１１３）が行なわれる。すなわち、ステップＳ１０３では、アップキー１７Ｕが押されたか否かが判定され、ステップＳ１０４ではダウンキー１７Ｄが押されたか否かが判手される。また、ステップＳ１０５では、左右の矢印キー１７Ｌ、１７Ｒが押されたか否かが判定される。また更に、ステップＳ１０６ではメニュキー１５、ステップＳ１０７ではＯＫキー１８が押されたかが判定され、ステップＳ１０８ではメニュキー１５が長押しされたか否かが判定される。
【００３１】
ステップＳ１０３でアップキー１７Ｕが操作されたと判定されると、ステップＳ１０９において、カレントのフォルダが、上位の階層のフォルダに変更され、その後処理はステップＳ１０２に戻り変更されたフォルダに対応する画像を表示する。例えばカレントのフォルダが「￥鳥の図鑑￥秋￥街」であり、画像表示装置１２には図７（ｃ）の画像が表示されているときにアップキー１７Ｕが操作されると、フォルダは「￥鳥の図鑑￥秋」に変更され、画像表示装置１２には図７（ｂ）の画像が表示される。なお、上位の階層がルートディレクトリのときはフォルダの変更を行わない。
【００３２】
ステップＳ１０４において、ダウンキー１７Ｄが操作されたと判定された場合には、カレントのフォルダの下にあるフォルダが検索され、初めに検索されたフォルダにカレントディレクトリは移る。また、下位のフォルダが存在しない場合には、初めに検索されたファイルが選択される。なお、デフォルトでは、「＊＊＊．ｊｐｇ」のファイルが選択されるように設定されている。
【００３３】
ステップＳ１１０において、下位のフォルダまたはファイルが選択されると、ステップＳ１０２において、選択されたフォルダまたはファイルに対応する画像が表示される。例えば、カレントのフォルダが「￥鳥の図鑑￥秋￥街」のときにダウンキー１７Ｄが操作されると、このフォルダの下にある「大」のフォルダが初めに検索され、これに対応するファイル「ｓｉｚｅ１．ｂｍｐ」の画像が画像表示装置１２に表示される。また、カレントのフォルダが「￥鳥の図鑑￥秋￥街￥小」のときにダウンキー１７Ｄが操作されると、このフォルダの下には、フォルダが存在しないので、「＊＊＊．ｊｐｇ」のファイルが検索される。例えば初めに検索されたファイルが「ツグミ．ｊｐｇ」のとき、画像表示装置１２には、図５（ａ）の画像が表示される。
【００３４】
ステップＳ１０５において、左右キー１７Ｌ、１７Ｒが押されたと判定された場合には、ステップＳ１１１において、同一階層における前のまたは次のフォルダ（またはファイル）が検索される。例えば左キー１７Ｌが押されると、前のフォルダ（またはファイル）が検索され、右キー１７Ｒが押されると、次のフォルダ（またはファイル）が検索される。例えばカレントのフォルダが「￥鳥の図鑑￥秋￥山」のときに右キー１７Ｒが操作されると、カレントフォルダは「￥鳥の図鑑￥秋￥海」に変更される。その後処理は、ステップＳ１０２に戻り「￥鳥の図鑑￥秋￥海」のフォルダに対応する画像が表示される。なお、右キー１７Ｒによるフォルダの変更は、「山」→「海」→「街」→「山」と循環的に行われ、左キー１７Ｌによる変更は、これとは逆に循環的に行われる。また、ファイルに関しても同様であり、左右キー１７Ｌ、１７Ｒにより、選択されるファイルが循環的に変更され、画像表示装置に対応する画像が表示される。
【００３５】
ステップＳ１０６において、メニュキー１５が押されたと判定された場合には、ステップＳ１１２において、ステップＳ１１０又はステップＳ１１１で選択されるファイルの変更が行なわれステップＳ１０２へ戻る。すなわち、デフォルトでは「＊＊＊．ｊｐｇ」のファイルが選択の対象となっているが、メニュキー１５が操作されると、選択対象となるファイルは「＊＊＊．ｊｐｅｇ」に変更される。また、逆に、「＊＊＊．ｊｐｅｇ」のファイルが選択の対象となっているときにメニュキー１５が操作されると、選択対象となるファイルは「＊＊＊．ｊｐｇ」に変更される。例えば、既に「ツグミ．ｊｐｇ」のファイルが選択されているときにメニュキー１５が押されると、選択ファイルが「ツグミ．ｊｐｅｇ」に変更され、画像表示装置１２には、図５（ｂ）の画像が表示される。
【００３６】
ステップＳ１０７において、ＯＫキー１８が押されたと判定されると、ステップＳ１１３において、選択されているファイルに対応する音声ファイルが開かれ、画像表示装置１２に表示された鳥の鳴き声がスピーカ３０（図２参照）から流れるとともに処理はステップＳ１０２へ戻る。例えば、「ツグミ．ｊｐｇ」のファイルが選択されているときにＯＫキー１８が押されると、「ツグミ．ｗａｖ」に録音された鶫の鳴き声が流れる。なお、ファイルが選択されていないときには、このステップでは何も行われない。
【００３７】
ステップＳ１０８において、メニュキー１５が所定の時間に渡り長押しされたと判定されたときには、この参照画像表示処理のプログラムは終了し、通常のデジタルカメラの処理に復帰する。それ以外のときには、ステップＳ１０２以下の処理が繰り返し実行される。
【００３８】
なお、フォルダと画像データファイルとの対応は、例えばフォルダの順番と、ファイルの順番とを対応させて行ってもよいし、フォルダ名とファイル名を対応させて行ってもよい。
【００３９】
以上のように、第１の実施形態の双眼鏡では、鳥等の観察対象物が種々の属性に基づいて分類されるとともに、各カテゴリが階層的に組み合わされて構成され、これらの階層的な分類にしたがって記録媒体に観察対象物の画像ファイルと音声ファイル等の関連情報を含む関連情報ファイルとが記録されているので、観察時の状況に合わせて、簡便にこれらの画像ファイルや関連情報ファイルを検索し、双眼鏡に搭載された画像表示装置に参照画像として表示できる。したがって、現在観察している対象物と検索された参照画像を簡単に照合することができ、更に、これに付随する音声や名称等の関連情報を参照することができるので、容易に観察対象物の同定、あるいは観察対象物に関連する情報を得ることができる。
【００４０】
また、本実施形態では、フォルダの階層構造により、観察対象物の分類を行っているので、極めて簡略な構成で上記検索システムを構成することができ、ユーザが自らデータベースを構築することも容易にできる。
【００４１】
なお、観察対象物は、鳥以外のものでもよく、例えばスポーツ観戦の場合には、チーム、国籍、年齢や所属するリーグ等をカテゴリとして選手の画像やプロフィール、選手毎のテーマ曲等をファイルとして記録してもよい。
【００４２】
本実施形態では、フォルダに対応する画像は、最上位のフォルダ（鳥の図鑑）に全て存在したが、各フォルダに対応する画像を配置してもよい。また、本実施形態では、画像ファイルとしてＪＰＥＧやＢＭＰを用い、音声ファイルとしてＷＡＶファイルを用いたが、他の様々な形式の画像ファイル、音声ファイルを用いることができることは言うまでもない。
【００４３】
次に図９〜図１４を参照して、本発明が適用されたデジタルカメラ機能付き双眼鏡の第２の実施形態について説明する。第２の実施形態は、参照画像表示処理動作を除いて、第１の実施形態と略同様の構成を備える。以下、構成の異なる部分についてのみ説明を行なう。
【００４４】
図９は、第２の実施形態におけるＩＣメモリカードに存在するフォルダ（ディレクトリ）の階層的な構造を示す図である。なお、本図では、ルートディレクトリ及びＤＣＩＭは省略されているが、「野鳥図鑑」のフォルダは、第１の実施形態と同様に、ルートディレクトリにＤＣＩＭフォルダとともに配置される。
【００４５】
第２の実施形態の「野鳥図鑑」フォルダ（ディレクトリ）の下には、「身近（市街地）」、「水辺」、「森や林」、「草地」の４つのフォルダが設けられ、それぞれのフォルダの下には「小（スズメ大）」、「中（カラス大）」、「大（カラスより大）」の３つのフォルダがそれぞれ設けられる。なお、図９には、便宜上「身近（市街地）」の下のフォルダしか示されていないが、「水辺」、「森や林」、「草地」の各フォルダの下にも各々「小（スズメ大）」、「中（カラス大）」、「大（カラスより大）」のフォルダが設けられる。
【００４６】
第２の実施形態において、「小（スズメ大）」、「中（カラス大）」、「大（カラスより大）」のフォルダは、最下位の階層であり、この下に含まれるフォルダは存在しない。最下位の階層である「小（スズメ大）」、「中（カラス大）」、「大（カラスより大）」各々のフォルダの下には、この階層化されたカテゴリの積集合を取ることにより分類された観察対象物（鳥）の画像データのファイルと音声データのファイルが格納される。なお、図９には、「小（スズメ大）」のフォルダに含まれるファイルのみが例示されている。
【００４７】
図９には、「小（スズメ大）」のフォルダに含まれる鳥として、「スズメ」、「ツバメ」、「ハクセキレイ」が挙げられている。第２の実施形態において、各鳥に関する情報は、３つの画像データファイルと、１つの音声データファイルで構成される。例えば、「スズメ」に関する情報は、３つの画像データファイル「００スズメ．ＪＰＧ」、「００スズメＫ１．ＪＰＥＧ」、「００スズメＫ２．ＪＰＥＧ」と、１つの音声データファイル「００スズメ．ＷＡＶ」により構成される。また「ツバメ」に関する情報は、３つの画像データファイル「０１ツバメ．ＪＰＧ」、「０１ツバメＫ１．ＪＰＥＧ」、「０１ツバメメＫ２．ＪＰＥＧ」と、１つの音声データファイル「０１ツバメ．ＷＡＶ」により構成され、「ハクセキレイ」に関する情報は、３つの画像データファイル「０２ハクセキレイ．ＪＰＧ」、「０２ハクセキレイＫ１．ＪＰＥＧ」、「０２ハクセキレイＫ２．ＪＰＥＧ」と、１つの音声データファイル「０２ハクセキレイ．ＷＡＶ」により構成される。
【００４８】
第２の実施形態における、ファイル名は「２桁の数字」＋「鳥名」（＋「Ｋ１又はＫ２」）＋拡張子で構成される。第１の実施形態と同様に、拡張子が「ＪＰＧ」のファイルは、その鳥の画像のみを含む画像データファイルであり、「ＪＰＥＧ」の拡張子のファイルは、「ＪＰＧ」の拡張子を持つファイルの画像に解説文を合成した画像データファイルである。また、拡張子「ＷＡＶ」は音声データである。
【００４９】
一方、第２の実施形態のファイル名において、先頭に付けられた「２桁の数字」は、表示の優先順位に対応する。すなわち、ファイルは通常先頭の文字列から文字コードの順にソートされているので、このように表示の優先順位に従って、予めファイル名の先頭に所定の桁数の番号を付けておくと、特別なプログラミングをすることなく、目的とする順序でファイルを選択し、その画像を順次表示することができる。なお、本実施形態においては、表示の優先順位としては、予め集計した統計データに基づき、出現頻度の高い順に順位が付けられている。
【００５０】
また、第２の実施形態において「ＪＰＥＧ」の拡張子のファイルが２つ存在するのは、画面を切り換えて複数の解説文や長い解説文等を表示するためである。
すなわち、表示画面は解説文全てを表示するのに十分な大きさを備えているとは限らないので、第２の実施形態では、解説用の画像を２枚用意し、これを切り換えることにより、スクロール機能を備えることなく簡略な構成で、より多くの解説文を表示可能としている。本実施形態では、これら２つのファイルを「鳥名」の後に「Ｋ１」、「Ｋ２」等のパラメータを附すことにより対応しており、このパラメータに含まれる番号により表示の順番が制御される。
【００５１】
なお、ファイル名の先頭に附される番号の桁数は本実施形態に制限されるものではなく、また数字に限定されるものでもない。例えば所定の文字数の文字列のコードの順序を利用して表示の優先順位を設定することも可能である。また、これは「鳥名」の後に付けられる解説文の表示順序を制御するパラメータに関しても同様である。また、解説文が合成される画像には、例えば対応するＪＰＧファイルの画像の各画素の輝度を例えば所定の割合で落とし、これに所定値を加えたものが用いられる（例えば輝度値×０．６＋１０２など）。
【００５２】
次に、図１０〜図１４を参照して、第２の実施形態における参照画像表示処理動作について説明する。図１０〜図１２は、第２の実施形態における参照画像表示処理動作のフローチャートである。一方、図１３は、第２の実施形態の参照画像表示処理動作において、キー操作による画面の表示切替動作を例示したものである。また、図１４は、最下位のフォルダを除く任意のフォルダがカレントディレクトリとなっている場合における、画像表示装置１２の画面の基本的構成を示したものである。
【００５３】
ステップＳ２０１は、例えばメニュキー１５を押してメニュ設定画面を表示した状態である。この状態においてメニュキー１５が長押しされ（例えば２秒間）、これがステップＳ２０２において検出されると、図鑑モードが起動される。一方、メニュキー１５の長押しが検出されない場合には、処理はステップＳ３００に移り、通常のメニュ画面による設定処理が行なわれる。ステップＳ３００の処理は、ステップＳ３０１において、ＯＫキー１８が押されたと判定まで繰り返し実行される。
【００５４】
ステップ２０２においてメニュキー１５の長押しが検出され、図鑑モードが起動されると、ステップＳ２０３において、図鑑モードにおける最上位フォルダのフォルダ名が選択項目名（タイトル）として読み込まれるとともに、そのフォルダにカレントディレクトリを移動する。また、このときカレントディレクトリ内のサブフォルダのフォルダ名が選択肢として記録媒体Ｍから読み込まれる。本実施形態では、「野鳥図鑑」のフォルダが最上位フォルダに対応するので、「野鳥図鑑」がタイトルとして、その下の「身近（市街地）」、「森や林」、「水辺」、「草地」が選択肢として読み込まれる。次にステップＳ２０４において、読み込まれた選択肢と、現在選択されている選択項目名（カレントディレクトリのファイル名）が、画像表示装置１２の画面上に図１３の画面Ｄ１のように表示される。すなわち、選択されたカレントディレクトリの下にサブフォルダが存在する場合には、図１４に示されるように、画面の左上に、カレントディレクトリのファイル名が選択項目名として表示され、その下に、このフォルダに含まれるサブフォルダ名が選択肢として上下方向に列挙される。また、このとき列挙された選択肢の中の１つが、次に移動される選択項目（フォルダ）として選択されており、例えば図１３に示されるように、その先頭に矢印（→）が附される。すなわち矢印（→）は、複数の選択肢の中で、現在選択されている選択項目の位置を示すカーソルの役割を果たしている。例えば、図鑑モードが起動された直後においては、画面Ｄ１のように画像最上位に配置された選択肢の先頭に矢印が附され、列挙された選択肢の中で、その選択項目に対応するフォルダが次に移動されるフォルダ（ディレクトリ）として現在仮に選択されていることが示される。
【００５５】
ステップＳ２０５では、右方向矢印キー１７Ｒが押されたか否かが判定される。右方向矢印キー１１Ｒが押されていない場合には、処理はステップＳ２０６に進み、上下方向矢印キー１７Ｕ、１７Ｄが押されたか否かが判定される。上下方向矢印キー１７Ｕ、１７Ｄが操作された場合には、ステップＳ２０７において、入力されたキーの方向に対応して、現在矢印が附されている選択項目が、その上下に配置された選択肢に変更され、処理は再びステップＳ２０４に戻る。例えば、画面Ｄ１の状態において、矢印キー１７Ｄが操作されると、画面Ｄ１において最上位の「身近（市街地）」に附されていた矢印が、画面Ｄ２のようにその下の「森や林」に移動される。なお、現在→が附されている選択項目が上下配列の最上位（最下位）にある場合に矢印キー１７Ｕ（矢印キー１７Ｄ）が操作された場合には、選択項目は、最下位（最上位）の選択肢に変更され、上下方向矢印キー１７Ｕ、１７Ｄの操作は循環的なものとされる。
【００５６】
ステップＳ２０６において、上下方向矢印キー１７Ｕ、１７Ｄの何れも操作されていないと判定された場合には、ステップＳ２０８において、メニュキー１５が長押しされたか否かが判定される。メニュキー１５が長押しされたと判定された場合には、ステップＳ２０９において、図鑑モードが解除され、画面には通常のメニュ選択用の表示が行なわれ、処理はステップＳ３００に移る。一方、スタップＳ２０８において長押しがされていないと判定された場合には、処理はステップＳ２０３に戻り、以下同様の処理が繰り返される。
【００５７】
ステップＳ２０５において右方向矢印キー１７Ｒが押されたと判定された場合には、現在矢印が附されている選択項目に選択が確定されたものとして、処理はステップＳ２１０に移り、矢印が附された選択項目に対応するサブフォルダにカレントディレクトリが移動される。またこのとき、移動後のカレントディレクトリの下に含まれるサブフォルダ名が選択肢（項目名）として読み込まれる。
【００５８】
ステップＳ２１１では、カレントディレクトリが最下位のフォルダであるか否か、すなわちカレントディレクトリにサブフォルダが存在するか否かが判定される。カレントディレクトリが最下位フォルダでない場合には、ステップＳ２１２において、読み込まれた選択肢と、現在選択されている選択項目名（カレントディレクトリのファイル名）が、画像表示装置１２の画面上に図１３の画面Ｄ２のように表示される。すなわち、「身近（市街地）」が選択された場合には、「身近（市街地）」が選択項目名（タイトル）として、画面の右上に表示され、その下には、「身近（市街地）」のフォルダ内に含まれる３つのサブフォルダ名、「小（スズメ大）」、「中（カラス大）」、「大（カラスより大）」が上下方向に列挙される。また、このとき、列挙された選択肢の中の１つが、次に移動されるフォルダに対応した選択項目として、その先頭に矢印（→）が附される。カレントディレクトリが「身近（市街地）」に移動された直後においては、矢印は、その最上位に配置された「小（スズメ大）」の先頭に附される。
【００５９】
ステップＳ２１３では、右方向矢印キー１７Ｒが押されたか否かが判定される。右方向矢印キー１７Ｒが押されたと判定された場合には、ステップＳ２１０に戻り、選択された次の階層に対して同様の処理が繰り返される。一方ステップＳ２１３において右方向矢印キー１７Ｒが押されていないと判定された場合には、ステップＳ２１４において、上下方向矢印キー１７Ｕ、１７Ｄが押されたか否かが判定される。上下方向矢印キー１７Ｕ、１７Ｄが押された場合には、ステップＳ２０７と同様に、入力されたキーの方向に対応して、現在矢印が附されている選択項目が、その上下に配置された選択肢に変更され、処理はステップＳ２１２に戻る。
【００６０】
一方、ステップＳ２１４において、上下方向矢印キー１７Ｕ、１７Ｄの何れも操作されていないと判定された場合には、ステップＳ２１６に進みメニュキー１５が押されたか否かが判定される。メニュキー１５が押されていない場合には、ステップＳ２１２に戻り、同様の処理が繰り返され、メニュキー１５が押された場合には、ステップＳ２１７において、カレントディレクトリの一段上の階層のディレクトリが図鑑モードにおける最上位のフォルダであるか否か（本実施形態では、「野鳥図鑑」であるか否か）が判定される。一段上の階層が最上位のフォルダであると判定された場合には、ステップＳ２０３に戻り、ステップＳ２０３以下の処理が繰り返される。一方ステップＳ２１７において一段上の階層が最上位のフォルダではないと判定された場合には、ステップＳ２１８において、カレントディレクトリが一段上の階層へ移動され、その後ステップＳ２１１へ戻り、同様の処理が繰り返される。
【００６１】
一方、ステップＳ２１１において、移動した先のカレントディレクトリ（フォルダ）が最下位であると判定された場合（移動先のフォルダにサブフォルダがないとき）には、処理はステップＳ２１９に移り、そのフォルダ内において選択された図鑑画像（ＪＰＧファイル）が選択画像として記録媒体Ｍから読み込まれるとともに、画像表示装置１２に表示される。最下位フォルダが選択された直後においては、前述した優先順位（出現頻度順位）が一番高い図鑑画像（ＪＰＧファイル）が選択画像として記録媒体Ｍから読み込まれ、画像表示装置１２に表示される。例えば、画面Ｄ３の状態において、右矢印キー１７Ｒが押されると、「小（スズメ大）」のフォルダは最下位のフォルダなので、「小（スズメ大）」のフォルダに含まれる優先順位の一番高い「００スズメ．ＪＰＧ」のファイルが読み込まれ、その画像が画像表示装置１２に表示される。
【００６２】
次にステップＳ２２０では、右方向矢印キー１７Ｒが押されたか否かが判定される。右方向矢印キー１７Ｒが押された場合には、ステップＳ２２１に進み、ファイル名の先頭に附された番号によって表わされた優先順位（出現頻度順）に従って、次順位のファイルが新たな選択画像として設定される。その後、処理はステップＳ２１９に戻り、新たな選択画像である図鑑画像が読み込まれ画像表示装置１２に表示される。一方、ステップＳ２２０において、右方向矢印キー１７Ｒが押されていないと判定された場合には、ステップＳ２２２において、左方向矢印キー１７Ｌが押されたか否かが判定される。左方向矢印キー１７Ｌが押されたと判定された場合には、ステップＳ２２３において、現在の選択画像よりも優先順位が１つ高いファイルが新たな選択画像として設定され、ステップＳ２１９において新たに選択された図鑑画像が読み込まれるとともに画像表示装置１２に表示される。
【００６３】
例えば図１３の画面Ｄ４は、「小（スズメ大）」のフォルダにおいて第２順位の「０１ツバメ．ＪＰＧ」のファイルが選択画像として読み込まれ、画像表示装置１２にツバメの画像が表示された状態を示したものである。この状態で右方向矢印キー１７Ｒが操作されると、次順位（第３順位）である「０２ハクセキレイ．ＪＰＧ」が選択画像として読み込まれ画面Ｄ５のように、ハクセキレイの画像が画像表示装置１２に表示される。また、画面Ｄ５の状態で左方向矢印キー１７Ｌが操作されると、選択画像は「０１ツバメ．ＪＰＧ」に戻り、画像表示装置１２の画面は、再び画面Ｄ４となる。
【００６４】
一方ステップＳ２２２において、左方向矢印キー１７Ｌが押されていないと判定された場合には、ステップＳ２２４において、レリーズスイッチ１４が押されたか否かが判定される。レリーズスイッチ１４が押された場合には、ステップＳ２２５において、現在の選択画像に対応する音声データファイル（ＷＡＶファイル）から、その鳥の鳴き声である音声データが読み出されて再生され、処理はステップＳ２２０に戻る。例えば図１３の画面Ｄ４において、レリーズスイッチ１４が操作されると、「０１ツバメ．ＷＡＶ」が読み込まれ、ツバメの鳴き声が再生される。
【００６５】
ステップＳ２２４において、レリーズスイッチ１４が押されていないと判定された場合には、ステップＳ２２６においてＯＫキー１８が押されたか否かが判定される。ここにおいてＯＫキー１８は、選択画像（ＪＰＧファイル）とこれに対応する解説文付きの画像（ＪＰＥＧファイル）との間の表示切替を行なうために用いられる。また、解説文付きの画像が現在表示されているか否かは、０、１の値をとるフラグ変数ＦＤによって識別され、解説文付きの画像が表示されていない状態はＦＤ＝０、表示されている状態はＦＤ＝１で表わされる。
【００６６】
ＯＫキー１８が操作されていない場合には、ステップＳ２２７において、メニュキー１５が押されたか否かが判定され、メニュキー１５が操作されていない場合には、処理はステップＳ２２０に戻り、メニュキー１５が操作されている場合には、ステップＳ２２８においてＦＤ＝０とされた後、ステップＳ２１８に戻る。すなわち、メニュキー１５が押された場合には、フラグ変数ＦＤを０に設定したうえでカレントディレクトリが一つ上の階層に移動される。
【００６７】
一方、ステップＳ２２６においてＯＫキー１８が押されたと判定されると、処理はステップＳ２２９に移り、ＦＤ＝０であるか否かが判定される。ＦＤ＝０でない場合には、ＯＫキー１８が押されたときに画像表示装置１２に表示されている画像が解説文付きの画像なので、ステップＳ２３０において、現在画像表示装置１２に表示されている解説文付き画像（ＪＰＥＧファイル）が、それに対応する選択画像（ＪＰＧファイル）に切り換えられる。例えば図１３の画面Ｄ６、Ｄ７（「０１ツバメＫ１．ＪＰＥＧ」、「０１ツバメＫ２．ＪＰＥＧ」の画像）のように解説文付きの画像が表示された状態においてＯＫキー１８が操作されると、画面Ｄ６、Ｄ７は、画面Ｄ４（「０１ツバメ．ＪＰＧ」の画像）に切り換えられる。その後フラグ変数ＦＤが、ステップＳ２３１においてＦＤ＝０に設定され処理はステップＳ２２７に移る。
【００６８】
これに対して、ステップＳ２２９においてＦＤ＝０と判定されたときには、画像表示装置１２には選択画像（ＪＰＧファイル）が表示されており、ステップＳ２３２において、現在表示されている選択画像が、解説文付き画像に切り換えられる。例えば画面Ｄ４（「０１ツバメ．ＪＰＧ」の画像）が表示された状態でＯＫキー１８が操作されると、画面Ｄ４は、画面Ｄ６（「０１ツバメＫ１．ＪＰＥＧ」の画像）に切り換えられる。その後フラグ変数ＦＤは、ステップＳ２３３においてＦＤ＝１に設定され、処理はステップＳ２３４に進む。
【００６９】
ステップＳ２３４では、上下方向矢印キー１７Ｕ、１７Ｄが押されたか否かが判定される。上下方向矢印キー１７Ｕ、１７Ｄの何れも操作されていない場合には、ステップＳ２２７に移り、以下同様の処理が繰り返される。
【００７０】
一方ステップＳ２３４において上下方向矢印キー１７Ｕ、１７Ｄの何れかが操作された場合には、ステップＳ２３５において、操作された上下方向矢印キー１７、１７Ｄの方向に対応して複数用意された解説文付きの画像が切り換えられる。例えば、画面Ｄ６（０１ツバメＫ１．ＪＰＥＧ）が表示された状態において、下方向矢印キー１７Ｄが押されると、画像表示装置１２の表示は、画面Ｄ７（０１ツバメＫ２．ＪＰＥＧ）に切り換えられる。また、画面Ｄ７（０１ツバメＫ２．ＪＰＥＧ）が表示された状態において、上方向矢印キー１７Ｕが押されると、画像表示装置１２の表示は、画面Ｄ６（０１ツバメＫ１．ＪＰＥＧ）に切り換えられる。
【００７１】
以上が第２の実施形態における参照画像表示処理動作の全体の流れである。このように構成することにより第２の実施形態の双眼鏡においても、第１の実施形態と略同様の効果が得られる。
【００７２】
また、第２の実施形態では、画像表示装置の画面上において、選択項目となるフォルダの階層は、図９に示すように左側が上位、右側が下位となるように仮想的に構成されており、右方向矢印キーを操作することにより、図９のツリー構造を順次、現在選択されている項目（フォルダ）から下位の選択項目（フォルダ）へと移動できるように構成されている。また更に、同階層に存在するフォルダ名は、１つの画面上に選択肢として上下方向に列挙され、各選択肢の間における選択の変更は上下方向矢印キーより行なわれる。これにより、第２の実施形態によれば、ツリー構造を図９のような形で視覚的にイメージし、これに対応した矢印キーの操作により、目的とするフォルダ（カテゴリ）に簡単に移動することができる。
【００７３】
また、最下位のフォルダに達すると、右方向矢印キーを操作することにより、そのフォルダに含まれる画像ファイルが、優先順位にしたがって、順次読み出され表示されるので、最下位のフォルダである最後の選択項目を選択した右方向矢印キーをそのまま続けて操作することにより、簡単かつ迅速に目的とする画像を表示することができる。
【００７４】
なお、第２の実施形態では、階層を１つ上昇するのにメニュキーを用いたが、これに代えて左方向矢印キーを用いることも可能である。また、第２の実施形態では、フォルダ名を選択項目名としたが、各フォルダに一対一に対応させた選択項目名を別途用意してもよく、このとき各フォルダ名の先頭には、各選択項目が列挙される順番を制御するための文字列（数字も含む）を付加してもよい。
【００７５】
【発明の効果】
以上のように、本発明によれば、観察対象に関わる情報を表示可能な画像表示機能付き双眼鏡を得ることができる。
【図面の簡単な説明】
【図１】本発明の第１の実施形態であるデジタル機能付き双眼鏡の外観を示す斜視図である。
【図２】図１に示された双眼鏡の電気的構成を示すブロック図である。
【図３】第１の実施形態におけるＩＣメモリカードに存在するフォルダ（ディレクトリ）の階層的な構造を示す図である。
【図４】ＩＣメモリカードにおける「￥鳥の図鑑￥秋￥街￥小」のフォルダに配置されたファイルの一例である。
【図５】図４に例示された「ツグミ．ｊｐｇ」及び「ツグミ．ｊｐｅｇ」の画像ファイルの一例である。
【図６】フォルダ「鳥の図鑑」に配置され、カレントフォルダに対応して表示される画像ファイル名の一覧である。
【図７】フォルダに対応する画像ファイルの一例である。
【図８】第１の実施形態における参照画像表示処理動作のプログラムのフローチャートである。
【図９】第２の実施形態におけるＩＣメモリカードに存在するフォルダ（ディレクトリ）の階層的な構造を示す図である。
【図１０】第２の実施形態における参照画像表示処理動作のフローチャートの第１部である。
【図１１】第２の実施形態における参照画像表示処理動作のフローチャートの第２部である。
【図１２】第２の実施形態における参照画像表示処理動作のフローチャートの第３部である。
【図１３】第２の実施形態の参照画像表示処理動作において、キー操作による画面の表示切替動作を例示したものである。
【図１４】最下位のフォルダを除く任意のフォルダがカレントディレクトリとなっている場合における、画像表示装置の画面の基本的構成を示したものである。
【符号の説明】
１０  デジタルカメラ機能付き双眼鏡
１２  画像表示装置（ＬＣＤ）
１５  メニュキー
１７Ｒ、１７Ｌ、１７Ｕ、１７Ｄ  矢印キー
１８  ＯＫキー
１９  カードスロット
２３  プロセッサ
Ｍ  記録媒体（ＩＣメモリカード）
【図１】
2004194279.tif 000003
【図２】
2004194279.tif 000004
【図３】
2004194279.tif 000005
【図４】
2004194279.tif 000006
【図５】
2004194279.tif 000007
【図６】
2004194279.tif 000008
【図７】
2004194279.tif 000009
【図８】
2004194279.tif 000010
【図９】
2004194279.tif 000011
【図１０】
2004194279.tif 000012
【図１１】
2004194279.tif 000013
【図１２】
2004194279.tif 000014
【図１３】
2004194279.tif 000015
【図１４】
2004194279.tif 000016